Podtech/llm-jp-corpus-v4-ja_patent huggingface dataset:
(57)【要約】【課題】  浴槽内の湯に浮いている湯垢を玩具等を利用して楽しく且つ効率的に除去する器具を提供する。【解決手段】  上部に平らな吸い込み口２を有し、且つ底部付近よりパイプにより誘導されて開口部３に達する排水部分を設けた容器１を、浴槽内の湯の表面と吸い込み口２を合わせて水平としたまま静かに沈め、湯の表面に浮いている湯垢を容器１内に吸い込ませる。  次にその容器１を開口部３を下にするように傾けて底の湯を浴槽内へ戻して湯量を減らし、浮いている湯垢を濃縮させた上で浴槽外に廃棄する。  この容器は、例えば白鳥の形のプラスティック製風呂用玩具とするなどの工夫をすると、幼児が楽しく遊びながら風呂の浄化をすることが出来る。  容器に穴を開け、穴を開閉しながら水面上で容器を上下しても湯垢の濃縮が出来る。【選択図】図１
2007283077.tif 000002
【特許請求の範囲】
【請求項１】
湯に浮いた湯垢その他の異物の分離・濃縮による湯水浄化のため、上部に吸い込み口を有し、且つ底部付近より繰り出して開口部に達するパイプを有している容器であって、その開口部は容器が水平に保たれている間は上の方にあって容器内の液体は流れ出ないが、容器を開口部が下になるように傾けると開口部より容器内の液体が流出する構造となっていることを特徴とする入浴用玩具その他の器具。
【請求項２】
湯に浮いた湯垢その他の異物の分離・濃縮による湯水浄化のため、上部に吸い込み口を有し、且つ底部付近に穴を有している容器であって、その穴は指で押さえて塞ぐことが出来るか、或いはその穴を塞ぐことの出来る栓を有し、指或いは栓の操作により容器内の液体を保持したり流出させたりすることが出来る構造となっていることを特徴とする器具。
【発明の詳細な説明】
【技術分野】
【０００１】  本発明は、風呂の湯が汚れたときに湯に浮いた湯垢その他の異物を風呂用玩具等の器具を利用して取り除き、風呂の湯を浄化して清潔に保つことに関する。
【背景技術】
【０００２】  従来、風呂の湯が汚れたことの対策としては、循環式の浄化機器を取り付けるか，湯桶や掬い網で浮いている湯垢を掬って捨てることが一般的に行われていた。
しかし、この方法には費用を要する，或いは湯垢と共に掬い取った多量の湯も同時に捨てなければならない欠点があった。
又、太陽電池を利用した小型循環装置を湯に浮かべ網で湯垢を採集する方法が実用新案として公開されている。【０００３】
【特許文献】  実公開平７−３６８７８
【発明の開示】
【発明が解決しようとする課題】
【０００４】  湯垢を除去する為に湯に浮いた湯垢を吸い取る場合に湯が混入するのは避けられないところ、それを捨てる前に清潔な湯のみを分離することが出来れば分離した清潔な湯を浴槽内へ戻して湯垢のみを捨てることが出来る。
【課題を解決するための手段】
【０００５】  本発明においては、容器の底付近から誘導されるパイプを通じて，或いは底付近に開いた穴から直接に、掬い取った湯のうち底にある混ざり物の無い部分を風呂の湯へ戻すことの出来る器具を提供するものである。
【発明の効果】
【０００６】  上述したような器具、即ち容器１の底付近から誘導されるパイプが開口部３へ通じている器具、或いは底付近に穴６のある皿状の容器４を、それぞれ水平を保ちながら風呂の湯の中へ静かに沈め湯垢を含んだ湯を吸い込むようにして掬い入れる。そうすると、掬い入れた容器の中では湯垢は上部に浮いていて湯垢の混じらない湯は底部に溜まっている。
そこで、底部の部分を風呂の湯の中へ戻し、湯垢を含む部分を廃棄する。
【発明を実施するための最良の形態】
【０００７】  発明の実施の形態を実施例に基づき図面を参照して説明する。
図１において、容器１を浴槽内の湯の中へ入れ、吸い込み口２が湯の表面と一致するように水平に保ち、そのままの状態で少し沈める。
そうすると、浴槽内の湯の表面の部分が吸い込み口２より容器１の中へ吸い込まれる。
その場合、浴槽内の湯の表面に浮いている湯垢が容器１の中へ吸い込まれるが、同時にかなりの湯も容器１の中へ入り込む。【０００８】  容器１へ注ぎ入れる湯量をＡ−Ｂ線以下に止め、次に容器１を開口部３が下になるように傾けると容器内の湯の表面はＣ−Ｄ線へ移動し、湯の一部は開口部３を経て外部へ流出する。
その動作を浴槽内で行えば、流出する湯は浴槽内へ戻ることとなる。
その場合、流出する湯は容器１の底部付近からパイプにより開口部３へ誘導されており、湯垢は表面に浮いているので、湯垢の含まれない清潔な湯が浴槽へ戻ることとなる。【０００９】  図３において、底部付近の穴６と上部の平らな縁５を有する皿状の容器４を手に持ち、穴６に指を当てて穴６を塞ぎながら縁５を浴槽内の湯の表面に合わせて水平のまま少し沈めると、湯の表面の部分及び表面に浮いた湯垢が皿状の容器４内に吸い込まれる。
次に、穴６に当てた指を放して皿状の容器４を浴槽内の湯の表面より少し上に持ち上げると  容器４内にある湯のうち底の部分が穴６より流出して浴槽内に戻る
湯垢は表面に浮いていて底の湯には湯垢が含まれないため、浴槽内へは清潔な湯のみが戻ることとなる【００１０】  これらの操作をして残った容器内の湯が少しになったとき、図１の場合は傾きを戻して水平とし、図３の場合は穴６を再び塞いで流出を止め、湯垢の混ざった残り湯を浴槽の外へ持ち出し廃棄する。【００１１】  図１に示す容器１は例えば白鳥の形を模した風呂用玩具に、図３に示す皿状の容器４は例えば掃除器具を模した風呂用玩具に、それぞれ作成して子供に与えれば、楽しんで遊びながら浴槽の湯を清潔にする喜びを与えることが出来る。
又、図３に示す皿状の容器４の場合は穴６に開閉栓を取り付けて穴に栓をすることが出来るようにし、洗い桶や洗面器と兼用とすることが出来る。
【図面の簡単な説明】
【００１２】
【００１３】
【図１】  液体が曲がったパイプを通じて開口部３に達する構造の湯垢除去器具の縦断面図
【図２】  液体が曲がったパイプを通じて開口部３に達する構造の湯垢除去器具の斜視図
【図３】  底部付近に穴６がある皿状の容器である湯垢除去器具の斜視図
【符号の説明】
【００１４】  １    容器
２    吸い込み口
３    開口部
４    皿状の容器
５    縁
６    穴
【図１】
2007283077.tif 000003
【図２】
2007283077.tif 000004
【図３】
2007283077.tif 000005
(57)【要約】【課題】  高齢者や身体障害者などが、安全かつ容易に神棚のメンテナンスができる、昇降式神棚を提供する。【解決手段】  お宮と棚板を一体化した神棚と、前記神棚を昇降させる昇降手段とを有し、前記神棚と前記昇降手段とは固定されていることを特徴とする昇降式神棚。【選択図】図１
2007283073.tif 000002
【特許請求の範囲】
【請求項１】
お宮と棚板を一体化した神棚と、前記神棚を昇降させる昇降手段とを有し、前記神棚と前記昇降手段とは固定されていることを特徴とする昇降式神棚。
【発明の詳細な説明】
【技術分野】
【０００１】  本発明は、神仏具類の神棚を容易に昇降させる昇降式神棚に関するものである。
【背景技術】
【０００２】  従来、神棚の設置場所は、一般的に室内の高所に設置されている。神棚には榊立てなど神具セットが提供されているが、これら神棚のメンテナンス時、高所に設置されているため、脚立など足踏み台の助けを必要としていた。
【特許文献】  登録実用新案第３０５９０１４
【発明の開示】
【発明が解決しょうとする課題】
【０００３】  そのために、次のような問題点があった。
（イ）  脚立など足踏み台を使用しての神棚のメンテナンスでは、脚立など足踏み台での作業バランスの不良による脚立など足踏み台からの転倒による災害が発生している。
（ロ）  従来の神棚は、棚板の上にお宮を乗せていた為、お宮が地震などの影響を受け転倒・落下の心配があった。
（ハ）  榊立て等など神具セットは、お宮にそのまま置かれるため、地震などの影響を受け転倒・落下の心配があった。
本発明は、以上の問題点を解決しようとするものである。
【課題を解決するための手段】
【０００４】  お宮と棚板を一体化した神棚と前記神棚を昇降させる昇降手段を有し、前記神棚と前記昇降手段を固定する。昇降手段には滑車・スライドレール・ダウンウォール・電動式などを用いる。また榊立て等など神具セットを着脱式にする。以上を特徴とする昇降式神棚である。
【発明の効果】
【０００５】  本発明は、お宮と棚板を一体化した神棚を昇降可能にし、前記神棚のメンテナンスを容易にする。また榊など神具セットを着脱式にして、地震などの影響を受け転倒・落下の防止を可能とする。これにより、高齢者や障害者でも転倒などの心配なく、安心して神棚のメンテナンスができる。
【発明を実施するための最良の形態】
【０００６】  以下、本発明の実施の形態について説明する。
（イ）壁面（１）に固定側板（２）を設ける。
（ロ）固定側板（２）にスライドレール（３）を設ける。
（ハ）スライドレール（３）に昇降式神棚（４）を固定する。
（ニ）昇降式神棚（４）に着脱式榊立てなど神具セットを（５）を設ける
（ホ）昇降式神棚（５）に取っ手（６）を設ける。
本発明は以上のような構造で、これを使用するときは、取っ手（６）を下に引き昇降式神棚（５）を任意の高さに昇降させる。昇降手段は、滑車・スライドレール・ダウンウォール・電動式などを用いる。その後、神棚のメンテナンスをする。
【図面の簡単な説明】
【０００７】
【図１】本発明の正面図である。
【図２】本発明の側面図である。
【符号の説明】
【０００８】１    壁面
２    固定側板
３    スライドレール
４    昇降式神棚
５    榊立てなど神具セット
６    取っ手
【図１】
2007283073.tif 000003
【図２】
2007283073.tif 000004
(57)【要約】      （修正有）【課題】タワシの使用者を増加させるために、タワシを小型に形成し、衣類の付着物や物品の細部の汚れを除去するタワシを、携帯品として所持品に取り付け、愛玩用として提供する。【解決手段】タワシ１の一端の芯金２に紐４を接続し、所持品５に取り付けて携帯するが、衣類の付着物や物品の細部の汚れの除去もできることを特徴とする愛玩用のタワシ１。【選択図】図３
2007283070.tif 000002
【特許請求の範囲】
【請求項１】
タワシを小形に形成し、連結具や紐状体を介して所持品に取り付けて携帯することを特徴とする愛玩用のタワシ。
【発明の詳細な説明】
【技術分野】
【０００１】  タワシを小形に形成し、所持品に取り付けて携帯する愛玩用のタワシに関するものである。
【背景技術】
【０００２】  従来のタワシは、物品の汚れを除去する洗浄専用具として形成し使用されている。
【発明の開示】
【発明が解決しようとする課題】
【０００３】  そのため次ぎのような問題点があつた。
従来のタワシの素材は、主に棕櫚の表皮の繊維で、その繊維は強靭で水、熱に非常に強く、細部の汚れやしつこい汚れを容易に除去できる。しかし、形状や使用方法は長い間あまり変化していない。現在、市販の洗浄用具の材質は主に化学製品で、形状や使用方法も多種あり、色彩も豊富で外見が良く常に新製品が開発されている。そのため一般の家庭や、洗浄作業の多い業者の厨房などでもほとんど化学製品の洗浄具を使用し、棕櫚製タワシの長所を認識することなく使用しない人は非常多い。従って、タワシの生産者は激減している。
本発明は以上の問題点を解決しようとするものである。
【問題を解決するための手段】
【０００４】  タワシの一端に接続した紐状体で、好みの所持品に取り付けて携帯する。
以上を特徴とする愛玩用のタワシである。
【発明】
【発明の効果】
【０００５】  本発明は、タワシを小形に形成した愛玩用の携帯品である。しかし、形状は小形であるが衣類の付着物や物品の細部の汚れも容易に除去できる。従って、愛玩用として携帯する人が増加すればタワシの存在も広く認識され、本来の洗浄具としての長所も確認される機会になり、それに伴い洗浄専用のタワシの使用者も増加すれば生産者も増加し効果は大である。
【発明を実施するための最良の形態】
【０００６】  以下、本発明の実施の形態を説明する。
タワシ（１）の一端の芯金（２）に、連結具（３）や紐状体（４）などを介して、所持品に取り付ける。
本発明は、以上の構成によりなっている。
本発明を使用するとき、タワシは接続している紐状体によって好みの所持品に取り付けて携帯する。小形であるため、所持品に取り付けたままポケットやかばんなどに収納しても邪魔にならない。又ポケットなどに入れた携帯電話など、滑り出て落下する事が多い所持品に取り付けていれば滑り止めにもなる。更に、衣類の付着物や物品の細部の汚れを除去できるので、小形であるが洗浄具としての役目も果たす。
【図面の簡単な説明】
【０００７】
【図１】本発明の拡大正面図
【図２】本発明の拡大側面図
【図３】本発明の実施図
【符号の説明】
【０００８】    １  タワシ
２  芯金
３  連結具
４  紐
５  所持品
【図１】
2007283070.tif 000003
【図２】
2007283070.tif 000004
【図３】
2007283070.tif 000005
【手続補正書】
【提出日】平成18年7月12日(2006.7.12)
【手続補正２】
【補正対象書類名】明細書
【補正対象項目名】０００８
【補正方法】変更
【補正の内容】
【０００８】  １  タワシ
２  芯金
３  連結具
４  紐状体
５  所持品
【手続補正３】
【補正対象書類名】図面
【補正対象項目名】図３
【補正方法】変更
【補正の内容】
【図３】
2007283070.tif 000006
(57)【要約】【課題】食後の歯間部に入り込んだ食渣を人前でも相手に不快感を与えず、効果的に且つ歯肉を傷める事無く除去出来る常時携帯可能な小型の歯用清掃器具を提供する。【手段】本格的なブラッシングを目的とせず、ブラシの素材をやや硬めにし、ブラシ束数を少なくする事で小型化でき、使用時は７０ミリ前後、折り畳み時は５０ミリ未満の常時携帯可能な爪楊枝の代用品として十分な機能を持つ。【選択図】図１
2007283062.tif 000002
【特許請求の範囲】
【請求項１】
一列４束以下のブラシを具備する折り畳み可能な歯用清掃器具。
【発明の詳細な説明】
【技術分野】
【０００１】  この発明は、食後の歯間部に付着した食渣をいつでも簡単に除去できる歯用清掃器具に関するものである。
【背景技術】
【０００２】  従来、携帯できる歯用清掃器具は多数あった。
【特許文献１】特開平０７−２９８９２４号広報
【特許文献２】特開２００４−２４２９８５号広報
【発明の開示】
【発明が解決しようとする課題】
【０００３】  これは次のような欠点があった。
（イ）  本格的な口腔清掃を目的とするため、ブラシ部が大きく、携帯はできるがどこ          でも使用できる物では無かった。
（ロ）  多機能を持たせたために大型となり携帯するにも使用するにも難点があった。
（ハ）  人前で使用することは考慮されていないため、ファッション性の無いデザイン          で普及し難かった。
本発明は、これらの欠点を除くためになされたものである。
【課題を解決するための手段】
【０００４】  折りたたむと全長が５０ミリ未満となる様にすることで携帯性が増し、使用時も人目につきにくい。
機能を食渣の除去に限定することで構造をシンプルにでき小型化が可能となる。
ブラシの材質を通常より硬くすることで、歯間部に付着した食渣を確実に除去出来る。
爪楊枝の代わりとして使用するのでブラシ束も３束程度で十分なので、小型化に寄与すると同時にブラシ部の清掃も簡単である。
【発明の効果】
【０００５】  本発明は使用時の全長は７０ミリ前後となり第２大臼歯まで十分届く長さを得ることが出来、爪楊枝の如く歯肉を傷つける心配もない。
使用時はホルダーの端を指で摘むようにして使うため、爪楊枝の如く大きく口を開ける必要も無く人前で使用しても恥ずかしく無い。又、歯間ブラシの様な難しさも無い。
ブラシ部が破損したり先が開いた場合は枢軸部をコイン等で簡単に外し回動部と共にブラシ部を交換することが出来、衛生的かつ経済的である。
折りたたむと非常にコンパクトなので、キーホルダーとしても使用できる。
ホルダー部分には様々なデザインを施すことが出来るので、年齢に応じたファッション性を持たせることが出来る。
【発明を実施するための最良の形態】
【０００６】  以下、本案の実施の形態について説明する。
（イ）  ブラシ部２とホルダー５を可撤枢軸部４で回動自在に固定する。
（ロ）  ブラシ部２を取り外す場合はコイン嵌挿孔８にコイン等を嵌挿し４分の１回転          させることによりブラシ部２をホルダー５より外せる構造とする。
（ハ）  折り畳み時は５０ミリ未満、使用時は７０ミリ前後としチェーン取付け部７を          ホルダー５に設けキーホルダーとしても使用できる構造とする。
本発明は以上の構成よりなる。
本発明を使用するときは、ブラシ部２をホルダー５より伸展させ指でホルダー５を挟み歯間部を軽く刷掃することで、歯間のくぼみに入り込んで取れ難くなった食渣を歯肉も傷つけること無く効果的に除去することが出来る。爪楊枝の如く口を大きく開ける必要も無く人前で使用しても相手に不快感を与えない。
【図面の簡単な説明】
【０００７】
【図１】本発明の使用時の斜視図である。
【図２】本発明の折り畳み時の斜視図である。
【図３】本発明の分解時の斜視図である。
【符号の説明】
【０００８】１    ブラシ
２    ブラシ部
３    回動部
４    可撤枢軸部
５    ホルダー
６    収容室
７    チェーン取付け部
８    コイン嵌挿孔
９    挿脱孔
１０  軸止部
１１  固定手段
【図１】
2007283062.tif 000003
【図２】
2007283062.tif 000004
【図３】
2007283062.tif 000005
(57)【要約】【課題】身近な装置を利用してストレス状態を容易に確認出来るようにしたカード型体温計によるストレス確認装置を提供する。【解決手段】デジタル体温計をキャッシュカード大の基盤に設置し、指先の体温を検知するセンサーを設けるとともに、センサーの出力に応じて複数に区分された精神状態を表示する手段を設けました。【選択図】図１
2007283065.tif 000002
【特許請求の範囲】
【請求項１】
カード型体温計に、指先の体温を検知するセンサーを設け、体温の値に応じて複数に区分された精神状態の表示を行うことを特徴とするストレス確認装置。
【請求項２】
前記精神状態の区分出力は、テーブルデータとして格納されていることを特徴とする請求項１記載のカード型体温計によるストレス確認装置。
【請求項３】
前記精神状態の区分出力は、メール機能により送信することも可能とする請求項１記載のカード型体温計によるストレス確認装置。
【発明の詳細な説明】
【技術分野】
【０００１】人はストレスがあると首筋から肩、腕の筋肉が緊張する為その筋肉に囲まれた血管が収縮し血液の流れが悪くなり指先の温度が下がります。専門医も指先の温度が３３℃以下でストレス状態、３３．１〜３４℃で平静状態、３５℃〜をリラックス状態と見ています。本発明は指先の温度を測ることで手軽にストレスが確認出来その解消に役立つストレス確認装置に関するものであります。
【背景技術】
【０００２】従来からストレスを数値的に計測する手段として、脳波計測、皮膚電気抵抗計測、皮膚温度計測などがありますが、いずれも高価であり、操作も難しく広く世間に利用されるようなことはありませんでした。
【発明の開示】
【発明が解決しようとする課題】
【０００３】そこでこの発明は中高校生にも利用出来る、操作が簡単、安価、携帯に便利、堅牢などを考慮したストレス確認装置を提供することを目的とするものです。
【課題を解決するための手段】
【０００４】この発明は、デジタル体温計をキャッシカード大の基盤に設置、図１の様に指先の体温を検知するセンサーを設けるとともに、センサーの出力に応じて複数に区分された精神状態を表示する手段を設けたことを特徴とします。
【発明の効果】
【０００５】上記の手段によると、極めて身近な体温計でストレスとリラックスの確認が可能になり、安価のため多くの人々特に登校拒否、校内暴力、イジメに悩む中高校生の精神安定に有効と思われます。
【発明を実施するための最良の形態】
【０００６】この発明の実施の形態を図面を参照して説明すると、図１はこの発明の実施の形態を示す概要図であります。図１の１０１センサーに指を当てると、表示部１０２にＬ℃が表示されが点滅します。ストレスのある場合は℃の点滅は停止しＬ℃の表示が残り
2007283065.tif 000003
【０００７】ストレスを和らげリラックスする場合は『気持ちが落ち着いて手のひらが温かい』と暗示するなど、取扱説明書のリラクゼーション法を実施すれば、慣れれば１分以内に
2007283065.tif 000004
状態表示部１０３に表示されます。【０００８】またこの発明は上記の実施の形態に対して携帯電話機やパソコンに転送しデーターシートを作成すれば、ストレス状態やリラクゼーション法の進歩の様子などの参考になり専門家のアドバイスを受けることも可能になります。
【図面の簡単な説明】
【０００９】
【図１】本発明の一実施の形態を示す説明図
【図２】本発明の要部のブロック機能を示す図
【符号の説明】
【００１０】１００−カード型体温計本体、１０１−センサー、１０２−体温表示部
１０３−精神状態区分表示部
【図１】
2007283065.tif 000005
【図２】
2007283065.tif 000006
(57)【要約】【課題】  箸置きを使用しなくても、箸先が汚れず尚かつテーブルに置いた箸を容易に掴み上げることが、可能な箸を供給することを目的とする。【解決手段】  箸全体に緩やかなウェーブをかける。【選択図】図１
2007283050.tif 000002
【特許請求の範囲】
【請求項１】
形状がゆるやかなウェーブを描いていることを特徴とする箸、火箸など、対をなしてものを掴む用途に用いる用具。
【発明の詳細な説明】
【技術分野】
【０００１】本発明は、箸置き不要のウェーブ箸に関するものである。
【背景技術】
【０００２】  古来より、箸は真っすぐな物でありそれが当たり前となっている。その為、箸を置く時は箸先が汚れないように、箸置きを使用する。
しかし、スプーン、ホークなどは、ゆるやかにウェーブしている。また、プラスチック製のご飯を盛るしゃもじなどもゆるやかにウェーブしているものがある。しゃもじやスプーンであればすくうと言う動作、ホークであれば刺すまたはすくう動作があり、その後によそうという動作か口に運ぶという動作になる。スプーン、ホークがゆるやかなウェーブを描いているのは、美的に、構造的に必要だからというより、それらを手に持ち上記の一連の所作をしやすい為の形状になっている。また、スプーン、ホークに共通な利点は、テーブル面から持ち上げる時に、ウェーブがかかってテーブル面から離れている箇所を指で摘み容易に持ち上げることが出来る点にある。
【発明の開示】
【発明が解決しようとする課題】
【０００３】  本発明は、箸置きを使用しなくても、箸先が汚れず尚かつテーブルに置いた箸を容易に掴み上げることが、可能な箸を供給することを目的とする。
【課題を解決するための手段】
【０００４】  上記課題を解決するために、本発明は、箸全体に緩やかなウェーブをかける。
【発明の効果】
【０００５】  本発明により、箸置きが不要になる。【０００６】  本発明により、縁高の器から箸で食材を掴み上げることが容易になる。特に和菓子の上生を箸で取る場合など、真っすぐな箸だと和菓子の上面脇に箸の痕が付き和菓子の景色を削ぐことになっていたが、ウェーブ箸を使うことにより上生和菓子の側面に箸先を当てることが、容易になるため和菓子の景色を壊すことなく懐紙にとり、景色を楽しんだ後に食べることができる。【０００７】  本発明により、大きいものを容易に掴みあげることが、可能となる。図３    例えば火箸で、胴炭のような丸く太く硬いものを掴み上げる場合、真っすぐな火箸だと胴炭を上から挟む所作ですと直径１８０度より狭い点の接触になり、掴みづらく左手で火箸中間を握り力で胴炭を持ち上げる所作になるのだが、ウェーブ箸を図３の用に使うことにより円の直径部分が火箸との接点になるために、容易に持ち上げることが可能となる。
【発明を実施するための最良の形態】
【０００８】  本発明の実施を説明する。通常、表皮のある竹箸以外、箸の表裏はないのだが図１のようにテーブルに置いた状態では、テーブル面に接する箇所を箸の元部分１１０Ｂと１１０Ａの部分の２箇所とし、箸全体にゆるやかなウェーブをかけ１１０Ａより先端部をあげる。これにより、テーブルに置いた箸は、図１の状態になり箸置きが不要になる。
箸を持つ時は、図１の１０５の箇所を右手で摘み左手で親指を上に箸中央を持ち、箸元部より右手を差し入れ通常のように箸を持つと言う正規な箸の扱いが出来る。
【図面の簡単な説明】
【図１】  テーブルに置いた状態のウェーブ箸側面図である。
【図２】  ウェーブ箸正面図である。
【図３】  大きい物、丸い物を掴む時のウェーブ箸、ウェーブ火箸の状態を示した側面図である。
【図４】  縁高とウェーブ箸の取り合いを示した側面断面図である。
【符号の説明】
１００    ウェーブ箸本体
１０１    ウェーブ箸表面
１０２    ウェーブ箸裏面
１０３    ウェーブ箸先端
１０４    ウェーブ箸元部分
１０５    ウェーブ箸を持ち上げる時に掴む部分
１０６    丸く大きい食材または、胴炭
１０７    縁高
１０８    縁高の中の食材
１１０Ａ  先端付近のテーブル面の接点
１１０Ｂ  元部分のテーブル面の接点
【図１】
2007283050.tif 000003
【図２】
2007283050.tif 000004
【図３】
2007283050.tif 000005
【図４】
2007283050.tif 000006
(57)【要約】      （修正有）【課題】マスクと眼鏡を併用する場合の、眼鏡の曇りを防止する。【解決手段】マスクから漏れる息が眼鏡に掛るのを遮断する為に、息を遮断できる器具を作る。金具２枚を曲げ、間にゴムを入れ接肌面にウレタンを張り気密を保持させている。【選択図】図２
2007283045.tif 000002
【特許請求の範囲】
【請求項１】
マスクを掛けた時の眼鏡の曇りを防止する為の息遮断器
【発明の詳細な説明】
【技術分野】
【０００１】本発明は、花粉症の人、機械操作者等がマスクと眼鏡を掛ける場合、マスクから息が漏れ眼鏡が曇ることによる車運転時、歩行時、機械操作時等の危険防止を図るべく、マスクと眼鏡の間に息を遮断するものとして本器を考案したものであります。
【背景技術】
【０００２】私自身花粉症で、どうしてもマスク、眼鏡を併用する必要があり、眼鏡の曇りには閉口している。
花粉用眼鏡、マスクの改良を工夫するも効果なく、眼鏡の曇り止め剤使用は都度必要であり、煩わしい。又、費用も継続してかかる。
本器はいかに鼻に圧をかけずに密着させるかが課題であり、軽くて弾力ある素材が良い。
別掲図面ページ（２）の試作品は金具２枚を曲げ、間にゴムを入れ接肌面にウレタンを張り気密を保持させている、製品化の場合は柔らかく且つしっかりしたゴムがいいかと思う。
又、息遮断の為には高さは１．５から２．０センチ必要と思う。
又、色は肌色か白（マスクと同色）
又、私は大きなマスクで隠して使用することもある。
【発明の開示】
【発明が解決しようとする課題】
【０００３】マスクと眼鏡を併用する場合の危険防止（眼鏡の曇り止め）
【課題を解決するための手段】
【０００４】マスクと眼鏡の間に息の遮断を図る器具を作る。
【発明の効果】
【０００５】試作品｛別掲図面ページ（２）｝にて山道の登りで息が荒い時も、効果が認められる。
【実施例１】
【０００６】別掲図面ページ（２）のとおりマスクと眼鏡の間にゴム紐で掛ける。
【図面の簡単な説明】
【０００７】
【図１】正面から見た立面図で、中央が鼻に掛る。
【図２】上から見た平面図で、中央は鼻の高さに合わせて上下に傾斜をつける。
【図１】
2007283045.tif 000003
【図２】
2007283045.tif 000004
(57)【要約】【課題】排泄検知材をおむつの所定位置に置いた従来の技術は、その排泄検知材がその位置からずれたり抜けてしまったりし、排尿や排便をした場合に検知しないことが生じるおそれがある。  【解決手段】吸水性の内側皮膜と遮水性の外側皮膜の間に吸水層がある紙おむつにおいて、芳香成分を封入した水分によって溶解する弾性膜製のカプセルを前記吸水層中もしくは吸水層の内側皮膜側に散在させた構成である。【選択図】        図１
2007283008.tif 000002
【特許請求の範囲】
【請求項１】
吸水性の内側皮膜と遮水性の外側皮膜の間に吸水層がある紙おむつにおいて、
芳香成分を封入した水分によって溶解する弾性膜製のカプセルを前記吸水層中もしくは吸水層の内側皮膜側に散在させてあることを特徴とする紙おむつ。
【請求項２】
請求項１において、カプセルを主に排尿や排便が当たる付近に重点的に配置したことを特徴とする紙おむつ。
【発明の詳細な説明】
【技術分野】
【０００１】
本発明は、ぬれることによって芳香を発生する発香性の紙おむつに関する。
【背景技術】
【０００２】
幼児、病人および介護老人用のすべてのおむつは、吸水素材を内蔵しており、極めて高い吸水性を有している。そのために、その排泄を看護する者が気が付かないことがある。
そこで、香料を水溶性のカプセルで被覆し、このカプセルを、円筒感応超吸水変色紐の円筒状内部空間内に連続的に配置した排泄感知伝導紐を、先端を残して不透水性透明柔軟鞘内に挿入した排泄検知材の技術があり、この排泄検知材の先端部をおむつ内に位置させて取り付ける技術があり（例えば、特許文献１参照）、これによると、この排泄検知材のカプセルが排泄物の水分によって溶けて香りが発せられ、看護人等が排泄のあったこと知ることできる。
【特許文献１】特開２００２−４８７７８公報
【発明の開示】
【発明が解決しようとする課題】
【０００３】
しかしながら、上述した従来の技術においては、排泄検知材をおむつの所定位置に置いてもその位置からずれたり抜けてしまったりし、排尿や排便をした場合に検知しないことが生じるおそれがある。
また、カプセルを入れた円筒状の排泄検知材とおむつとは全く製造工程が異なる製品であり、それら両方の製造および保管の管理が必要となり、流通工程においても困難さがある。
【０００４】
本発明は、このような問題を解決することを課題とするもので、内側皮膜と外側皮膜の間の吸水層に芳香性の油脂系成分を封入したカプセルを散在させることによってぬれたときに確実に芳香を発するようにすることを目的とする。
【課題を解決するための手段】
【０００５】
そこで本発明は、吸水性の内側皮膜と遮水性の外側皮膜の間に吸水層がある紙おむつにおいて、芳香成分を密封した水分によって溶解する弾性膜製のカプセルを前記吸水層中もしくは吸水層の内側皮膜側に散在させてあることを特徴とする。
【発明の効果】
【０００６】
このようにした本発明は、使用者が排尿や排便をすると、その水分によってカプセルが溶解し、封入されている油脂系成分の芳香が発せられるもので、吸水層にカプセルを散在させたことにより、排尿、排便によって確実にカプセルが溶解することになり、その芳香成分によって直ちに介護人等に報知できるという効果が得られる。
【発明を実施するための最良の形態】
【０００７】
以下、図面を参照して本発明による実施例を説明する。
【実施例】
【０００８】
図１は実施例を示す説明図、図２は拡大断面説明図である。
図において、１は紙おむつであり、幼児用、大人用に限らないものであり、また、その形状も立体タイプやフラットタイプ等どのような形状のものでもよい。
紙おむつは、吸水性の内側皮膜２と遮水性の外側皮膜３の間に吸湿剤や吸湿性の紙（パルプ）による吸水層４がある。
【０００９】
５は、その吸水層４の中に散在させたカプセルである。このカプセル５は、ゼラチンやグリセリン等の水分や温水等によって膨潤溶解する弾性膜製であり、その中に植物性、動物性の油脂系等の芳香成分（精油）、例えば、ラベンダーやかんきつ類等のような芳香を発する成分を封入したものである。このカプセルは、排尿は排便等の水分で膨潤溶解するものであり、その大きさや形状は、全く任意であって例えば、偏平体、球形体、星型であってその直径は２〜１０ｍｍ程度である。
【００１０】
また、封入される芳香成分は任意であり、植物性や動物性の油脂系の芳香成分の単体ばかりでなく、適宜に配合したものでもよく、芳香を発散するばかりでなく、消臭やその他の効果が得られるようにするとよい。また、カプセルごとに異なる芳香成分を封入しておき、カプセルの色や形状によって識別できるようにしておくとよく、それらを混合して用いてもよい。
【００１１】
さらに、芳香成分は、必ずしも植物性や動物性等の天然成分である必要はなく、化学合成による芳香成分であってもよい。
このようにしたカプセル５を、吸水層４中もしくは吸水層４の内側皮膜２側に散在させてある。
このカプセル５の散在状態は、吸水層４の全面に均等に配置しておいてもよいが、主に排尿や排便が当たる付近に重点的に配置するとよい。
【００１２】
上述した構成によると、使用者が排尿や排便をすると、その水分によってカプセル５が溶解し、封入されている芳香成分の芳香が発せられることになる。
この芳香によって、排尿や排便があったことを看護や介護をしている者に報知することになり、介護人等はおむつの交換の必要を知ることができる。また、その交換時にも芳香があるために作業がし易く、周囲にも悪臭がたちこめることがない。
【００１３】
このように、吸水層にカプセルを散在させたことにより、排尿、排便によって確実にカプセルが溶解することになり、その芳香成分によって直ちに介護人等に報知できることになる。
【図面の簡単な説明】
【００１４】
【図１】実施例を示す説明図
【図２】拡大断面説明図
【符号の説明】
【００１５】
１  紙おむつ
２  内側皮膜
３  外側皮膜
４  吸水層
５  カプセル
【図１】
2007283008.tif 000003
【図２】
2007283008.tif 000004
(57)【要約】【課題】フラットタイプの紙おむつは、おむつカバーやテープ止めタイプの紙おむつと併用しないとならないという問題がある。【解決手段】通常のフラットタイプの紙おむつより長くした本体の両側に沿って切断線が一端から他端近傍まで入れてあり、その切断線によって切ることにより、本体の両側端に接続している紐を形成することができるようにしたことを特徴とする。【選択図】        図１
2007283007.tif 000002
【特許請求の範囲】
【請求項１】
フラットタイプの紙おむつにおいて、通常のフラットタイプの紙おむつより長くした本体の両側に沿って切断線が一端から他端近傍まで入れてあり、その切断線によって切ることにより、本体の両側端に接続している紐を形成することができるようにしたことを特徴とする紙おむつ。
【請求項２】
請求項１において、両側の切断線の内側の一部に襞やギャザー等を形成したりゴムを付けてギャザーを形成して収縮部を設けたことを特徴とする紙おむつ。
【発明の詳細な説明】
【技術分野】
【０００１】
本発明は、フラットタイプの紙おむつに関する。
【背景技術】
【０００２】
紙おむつには、赤ちゃん用および介護老人用を問わず、お尻の形状に合わせたふくらみのある立体タイプと布（紙）状の偏平なフラットタイプの紙おむつがある。
このようなおむつに、おむつを着けるときに着けやすいように胴回りに仮止めする紐状の取付け手段を設けたおむつがある（例えば、特許文献１参照）。
【特許文献１】特開２００１−４７６号公報
【発明の開示】
【発明が解決しようとする課題】
【０００３】
このような従来の技術においては、紐状の取付け手段は、おむつ本体の後部中程に後付けによって取付けるために、紐状の取付け手段がおむつの表面に出てしまいおむつが柔らかで平らな表面状態でなくなってしまうために、特に寝たきり老人や病人の場合、その取付け手段のわずかな突出が腰に当たり、その個所が床ずれになる発症原因となるもので、病人等にとって腰部に最も具合の悪い症状を発症させることになる。
【０００４】
そこで、特に寝たきりのような歩かないで動きの少ない老人には大きくずれるおそれがないためにフラットタイプの紙おむつが使われることが多い。
しかし、このフラットタイプの紙おむつは、おむつカバーやテープ止めタイプの紙おむつの内側に敷いて用いるものであり、それらと併用しないとならないという問題がある。
本発明は、このような問題を解決することを課題とする。フラットタイプのおむつの両側に腰紐を一体に設けることにより、おむつ単体で着けることができるようにすることを目的とする。
【課題を解決するための手段】
【０００５】
そこで本発明は、フラットタイプの紙おむつにおいて、通常のフラットタイプの紙おむつより長くした本体の両側に沿って切断線一端から他端近傍まで入れてあり、その切断線によって切ることにより、本体の両側端に接続している紐を形成することができるようにしたことを特徴とする。
【発明の効果】
【０００６】
このようにした本発明は、越中褌のようにして使用者に装着することができ、特に、寝たきりの使用者にも容易に着けることができると共に容易に外すことができるという効果が得られる。
また、本体に紐を取付けることをしないために、おむつに紐の固定個所がなく、おむつの表面に床ずれの発症原因となる硬いふくらみ部が生じないために、寝たきり老人等の長時間寝ている使用者のおむつに適する効果を有する。
【発明を実施するための最良の形態】
【０００７】
以下、図面を参照して本発明による実施例を説明する。
【実施例】
【０００８】
図１は実施例を示す平面図、図２は紐を切り出した状態の説明図、図３は装着した状態の説明図である。
図において、１はフラットタイプの紙おむつであり、通常のフラットタイプの紙おむつより全長が長くできている。この紙おむつ１は、本体２の両側に沿ってミシン目状の切断線３が一端（端部付近も含む。）から他端近傍まで入れてある。使用に際してその切断線３によって切ることにより、図２に示す如く、本体２の両側端に一体に接続している紐４を形成することができる。この接続端部は図２に示す如く、４５°に折り返すことにより本体２に対して正しく横方向に延ばすことができるが、必ずしも図示のように正確４５°に折り返す必要はなく、紐４を切り出した状態でそのまま使用してもよい。  
【０００９】
なお、上記の構成において、両側の切断線３の内側の一部に襞やギャザー等を形成したりゴムを付けてギャザーを形成して収縮部を設けることにより、使用者に装着したときに太ももの付け根に沿うよう装着できるようにしておいてもよい。
また、切断線であるミシン目は、必ずしもミシン目である必要はなく、紐状に容易に切ることができる線状溝等どのようなものでもよい。
【００１０】
上述した構成の作用について説明する。
上記の如く、使用に際して、切断線３によって左右側端を切り裂くことにより、紐４を形成してＴ字帯状（越中褌状）にすることができる。
そこで、使用者が、寝ている状態でも起き上がった状態でも姿勢を問わず尻側から紐４が付いている側を当て、腰に両紐４を回して両端を互いに結ぶことにより着けることができる（図３）。そこで、自由端側を股の間を通し、続いて腹部で結んだ紐４の下を通して折り返し、前にたらすことによって褌と同様に着装することができる（図４）。
【００１１】
これは男女を問わず同じようにして着装することができ、特に、寝たきりの使用者の場合にも極めて具合よく着けることができる。しかも、外すときも結んだ紐を解くことにより簡単に外すことができ、着けるときおよび外すときにおける使用者の負担は極めて少ない。
また、紐の取付け部がおむつ本体にないために、着装時に腰に突出部が当たるようなことがなく、しかも紐で緩やかに着けるために、装着感がよく使用者の負担が少なく、寝たきりの使用者には極めて良好なものとなり、おむつによる床ずれの発症の心配がない。
【００１２】
さらに、褌状に前部が二重になるために、多量な排尿等においても寝巻きや寝具をぬらしたりよごしたりすることが少なくなる。
本発明の紙おむつは、使用時に際して左右側端の切断線によって切り離して紐が本体から分離される構造であるために、搬送時や在庫時等の未使用時には紐は本体と一体であって一枚のフラットな紙おむつであるために、保存時、梱包時および搬送時等の取扱いが容易であり、製造においては紐付けの工程がいらないものである。
【図面の簡単な説明】
【００１３】
【図１】実施例を示す平面図
【図２】紐を切り出した状態の説明図
【図３】装着する状態を示す説明図
【図４】装着した状態の説明図
【符号の説明】
【００１４】
１  フラットタイプの紙おむつ
２  本体
３  切断線
４  紐
【図１】
2007283007.tif 000003
【図２】
2007283007.tif 000004
【図３】
2007283007.tif 000005
【図４】
2007283007.tif 000006
(57)【要約】【課題】  ゴ−ルの瞬間を確認するのに，ゴ−ルネットの揺れを見て判断するしかなかった。尚，今後ゴ−ルネットの透明度が上がる方向にあり，ますますゴ−ルネットの揺れが判断しにくくなる。【解決手段】  ゴ−ルと同時に，華やかな光を発して，全観戦者が瞬時に，ゴ−ルを確認できるものである。従来より，ゴ−ルの祝福が一致できる。【選択図】図４
2007283054.tif 000002
【特許請求の範囲】
【請求項１】
ネットへのゴ−ルを光で数秒間表現する，ゴ−ル瞬間灯。
【請求項２】
ネットへのゴ−ルと同時に立ち上がる，ゴ−ル瞬間灯。
【発明の詳細な説明】
【技術分野】
【０００１】  本発明は，サッカ−においてゴ−ルネットにゴ−ルした瞬間の合図に関するものである。
【背景技術】
【０００２】  なし
【発明の開示】
【発明が解決しょうとする課題】
【０００３】  従来は，ゴ−ルの瞬間を確認するのに，ゴ−ルネットの揺れを見て判断するしかなかった。尚，今後ゴ−ルネットの裏の観戦席からの透明度を上げる方向にあるため，ゴ−ルネットの揺れが，確認しにくくなるものである。
【課題を解決するための手段】
【０００４】  上記のことを防止するために，本発明は，ボ−ルがゴ−ルネットに入った瞬間に光を発して全ての観戦位置に合図するものである。
【発明の効果】
【０００５】  本発明により，ゴ−ルの瞬間を観戦者全員が，同時に確認ができるため，祝福の歓喜が一致するものである。
【発明を実施するための最良の形態】
【０００６】  以下，本発明の実施の形態について説明する。
用具の違反にならない位置でゴ−ルネットの上部に本発明を設置するものである。設置場所として，クロスバ−の中央内側に，基盤（２）を取りつける。基盤（２）に取りつけたゴ−ル瞬間灯（１）は扇状にしたものである。
尚，光の種類は，花火をイメ−ジし，ゴ−ルネットの上に立ち上げて色鮮やかな光を放つものである。ゴ−ル瞬間灯のスイッチを入れる方法として，ゴ−ルネットの揺れと，ゴ−ルの瞬間をセンサ−にて，併用で行うするものである。また緊急用として，遠隔操作の待機もしておくものである。
【産業上の利用可能性】
【０００７】  本発明に係わるゴ−ル瞬間灯は，工業的に量産する事が可能であるため，産業上の利用可能性を有する。
【図面の簡単な説明】
【０００８】
【図１】  本発明の平面図である。
【図２】  本発明の側面図と，ゴ−ル瞬間灯が立ち上がった状態を点線で示す，側面図である。
【図３】  本発明をクロスバ−に設置した状態の，側面図である。
【図４】  ゴ−ルの瞬間，瞬間灯が立ち上がり点灯した，正面図である。
【符号の説明】
【０００９】  １    ゴ−ル瞬間灯
２    基盤
３    クロスバ−
４    ポ−ル
５    ゴ−ルネット
６    ゴ−ル瞬間灯を立ち上げる駆動装置
１′  立ち上がった状態のゴ−ル瞬間灯
【図１】
2007283054.tif 000003
【図２】
2007283054.tif 000004
【図３】
2007283054.tif 000005
【図４】
2007283054.tif 000006
(57)【要約】【課題】    ミシンで曲線部分を綺麗に縫うための、ミシンの布押え板及びこれを備えた布押え具を提供する。【解決手段】    先端に二又の布押え足を形成する布押え板で、透明部材からなり、前記布押え足（１ａ）（１ｂ）間に形成された溝（スリット）に対して直交する当該布押え足（１ａ）（１ｂ）の位置で、かつミシン針の上下運動する部位（針の落下点（３））を通る位置に、少なくとも一方の布押え足に対して目盛り（２）を設けたことを特徴とするミシンの布押え板及びこれを備えた布押え具。【選択図】図１
2007283052.tif 000002
【特許請求の範囲】
【請求項１】
先端に二又の押え足を形成する布押え板で透明部材からなり、布押え足の間に形成された溝（スリット）に対して直交する当該布押え足の位置で、かつミシン針の上下運動する部位を通る位置に、少なくとも一方の布押え足に対して目盛りを設けたことを特徴とするミシンの布押え板。
【請求項２】
ミシン本体に着脱可能に形成された装着部と、請求項１記載のミシンの布押え板を備えた布押え具。
【発明の詳細な説明】
【技術分野】
【０００１】  本発明は、ミシンでの縫製やステッチをかけやすくするための、ミシンの布押え板及びこれを備えた布押え具に関するものである。
【背景技術】
【０００２】  従来、ミシンの布押え板は、ミシン本体に接続される布押え具の下端にあって、コイルばねなどにより揺動可能にリベットづけされて一体となっているか、あるいは成型上一体となっており、金属やプラスチックなどの不透明な素材でできていた。
【発明の開示】
【発明が解決しようとする課題】
【０００３】  そのために次のような問題点があった。
（イ）不透明な素材の布押え板のため、布地が隠れて見えなくなり、曲線部分になると布の外周端に沿って同じ幅でステッチをかけるのが難しかった。
【課題を解決するための手段】
【０００４】  先端に二又の布押え足を形成する布押え板で透明部材からなり、布押え足の間に形成された溝（スリット）に対して直交する当該布押え足の位置で、かつミシン針の上下運動す部位を通る位置に、少なくとも一方の布押え足に対して目盛りを設けたことを特徴とするミシンの布押え板（請求項１記載）。【０００５】  ミシンの本体に着脱可能に形成された装着部と、先端に二又の押え足を形成する布押え板で透明部材からなり、布押え足の間に形成された溝（スリット）に対して直交する当該布押え足の位置で、かつミシン針の上下運動する部位を通る位置に、少なくとも一方の布押え足に対して目盛りを設けたことを特徴とするミシンの布押え板を備えた布押え具（請求項２記載）。
【発明の効果】
【０００６】  ミシンの布押え板が透明なので、どの辺を縫っているかがわかりやすい。
また、目盛りが付いているので、曲線部分のステッチも布端など目安となるラインと平行に縫える。
【発明を実施するための最良の形態】
【０００７】  以下、本発明の実施の形態について説明する。
（イ）先端に二又の布押え足（１ａ）（１ｂ）を形成する布押え板（１）で透明部材からなり、布押え足（１ａ）（１ｂ）間に形成された溝（スリット）に対して直交する当該布押え足（１ａ）（１ｂ）の位置で、かつミシン針の上下運動する部位（針の落下点（３））を通る位置に、少なくとも一方の布押え足に対して目盛り（２）を設けたことを特徴とするミシンの布押え板（１）（請求項１記載）。
（ロ）ミシンの本体に着脱可能に形成された装着部（７）と、端に二又の押え足（１ａ）（１ｂ）を形成する布押え板（１）で透明部材からなり、布押え足（１ａ）（１ｂ）間に形成された溝（スリット）に対して直交する当該布押え足（１ａ）（１ｂ）の位置で、かつミシン針の上下運動する部位（針の落下点（３））を通る位置に、少なくとも一方の布押え足に対して目盛り（２）を設けたことを特徴とするミシンの布押え板（１）を備えた布押え具（請求項２記載）。
本発明は以上のような構造で、これを使用する時は、布押え具（６）をミシンにセットする。
ステッチ（５）をかけるとき、布押え板（１）が透明で目盛り（２）が付いているので、布端など  目安となるラインと平行に縫える。尚、この際、布押え板の実施例としては、布押え具本体と別に形成して着脱自在とする実施例のほか、全体をプラスチックなどの透明な素材により、布押え板と布押え具を一体成型する実施例も考えられる。
【図面の簡単な説明】
【０００８】
【図１】本発明の布押え板の平面図
【図２】本発明の使用状態を示す斜視図
【図３】本発明の布押え板を装着した布押え具の斜視図
【符号の説明】
【０００９】      １    布押え板
１ａ、１ｂ    布押え足
２    目盛り
３    針の落下点
４    布
５    ステッチ
６    布押え具
７    装着部
【図１】
2007283052.tif 000003
【図２】
2007283052.tif 000004
【図３】
2007283052.tif 000005
(57)【要約】【課題】  夜会巻と言うヘアースタイルを、自分で容易につくることができるための、スティックで留める夜会巻用ヘアークリップを提供する。【解決手段】  対向する挿通部、挟持片を有する湾曲した略Ｖ字状に形成し、後端に遊動自在の交差点から連なる受部を設けた本体は、毛束を対向する挟持片の中央開口部より挟持部に通し、一捻りして頭部に収め、ライン側の挿通部の穴よりスティックを挿入して、受部の受穴に差し込むことで、巻かれた毛束は挟持片に面した直線状のラインを形成されることを特徴とした夜会巻用ヘアークリップである。【選択図】図１
2007283059.tif 000002
【特許請求の範囲】
【請求項１】
対向する挿通部、挟持片を有する湾曲した略Ｖ字状に形成し、後端に遊動自在の交差点から連なる受部を設けた本体は、毛束を対向する挟持片の中央開口部より挟持部に通し、一捻りして頭部に収め、ライン側の挿通部の穴よりスティックを挿入して、受部の受穴に差し込むことで、巻かれた毛束は挟持片に面した直線状のラインを形成されることを特徴とした夜会巻用ヘアークリップである。
【発明の詳細な説明】
【技術分野】
【０００１】  本発明は、夜会巻と言うヘアースタイルを作るときに、自分で容易に作ることができるための、夜会巻用ヘアークリップである。
【背景技術】
【０００２】  従来、夜会巻と言うヘアースタイルを作るときは、束ねた毛束を手で巻き返し押えながら、随所に一本一本ピンで留めるため、毛髪量によっては１０数本もの多くのヘアーピンを用いて作られた。
【発明の開示】
【発明が解決しようとする課題】
【０００３】    そのために、次のような問題点があった。
（イ）夜会巻と言うヘアースタイルを作るとき、束ねた毛束を手で巻き返し押えながら、随所に一本一本ピンで留めるため、毛髪量によっては１０数本もの多くのヘアーピンを用いるため、自分で作ることは困難だった。
（ロ）従来あるヘアークリップでは、表面に見せる飾りの用途が強く、夜会巻と言うヘアースタイルのような、中央のラインを直線状に維持し内側に収めるためのヘアークリップはなかった。
本発明は、以上の問題点を解決しようとするものである。
【課題を解決するための手段】
【０００４】  対向する挿通部、挟持片を有する湾曲した略Ｖ字状に形成し、後端に遊動自在の交差点から連なる受部を設けた本体は、毛束を対向する挟持片の中央開口部より挟持部に通し、一捻りして頭部に収め、ライン側の挿通部の穴よりスティックを挿入して、受部の受穴に差し込むことで、巻かれた毛束は挟持片に面した直線状のラインを形成されることを特徴とした夜会巻用ヘアークリップである。
【発明の効果】
【０００５】  本発明は、夜会巻のヘアースタイルを作る際に、クリップ本体に毛を巻き込むため、ピンを使うことなく巻かれた毛束の形を保ち、挟持片に面した直線状のラインを簡単に作ることができる。
また、本体はシンプルな形で毛の内側に入るため、スッキリまとめることができる。
【発明を実施するための最良の形態】
【０００６】  以下、本発明の実施の形態を説明する。
（イ）金属、又は樹脂材よりなる対向する挟持片（３）の先端に、中央に穴（２）を有する環状体の挿通部（１）を一体にして設ける。
（ロ）対向する挿通部（１）の隙間を開口部（８）とし、開口部（８）に連なる挟持部（７）は、対向する挟持片（３）に囲まれる。
（ハ）対向する挟持片（３）の後端を交差する交差部（６）の先で折り返して環状に形成し連結させ、受穴（４）を有する受部（５）を設ける。
（ニ）先端を鋭角にした棒軸状のスティック（９）は、挿通部（１）の穴（２）を貫通させて、受部（５）の受穴（４）に挿入自在とする。
本発明は、以上の構成よりなっている。
本発明を使用するときは、図２に示すように、頭部の後髪を手でまとめて毛束（１０ａ）とし、開口部（８）を通して、挟持部（７）に収め、片方の手で毛先（１０ｂ）を上に上げながら、もう一方の手で挿通部（１）を掴み、本体を一捻りさせ、親指で受部（５）を支え（図２の口）、人差指で挿通部（１）を押えて、スティック（９）を合せ目ライン側の挿通部（１）の穴（２）から、親指の受部（５）を目掛けて、毛束（１０ａ）を貫通させて挿し込み、受穴（４）に通す。
挿通部（１）は、右巻き、左巻きで使い分ける。
また、本発明は交差部（６）が、遊動状態になっている。そこで、個人差のある毛髪量の大小に適応させて、挟持部（７）に毛髪を収容することが容易になる。
本発明は、図４に示すように、対向する挟持片（３）の交差点を一体に形成して支点（１１）とし、その下方を受部（５）とすることができる。そのとき、挟持片（３）は、可撓性よりなる樹脂材で一体に形成する。
【図面の簡単な説明】
【０００７】
【図１】本発明の分解斜視図
【図２】本発明の使用状態の手順を示す背面図
【図３】本発明の使用状態を示す背面図
【図４】本発明の他の実施例を示す斜視図
【符号の説明】
【０００８】    １  挿通部
２  穴
３  挟持片
４  受穴
５  受部
６  交差部
７  挟持部
８  開口部
９  スティック
１０ａ  毛束
１０ｂ  毛先
１１  支点
【図１】
2007283059.tif 000003
【図２】
2007283059.tif 000004
【図３】
2007283059.tif 000005
【図４】
2007283059.tif 000006